(57)【要約】【課題】電気的接続が容易で、かつ安定的な接続が可能な照明装置及び照明器具を提供する。【解決手段】実施形態によれば、照明装置は、発光部と、発光部と着脱可能に接続され第１、第２電極を含む保持部と、を含む。発光部は、第１、第２保持部材と、第１、第２パッド部を含む発光パネルと、第１接続部材及び第２接続部材と、を含む。第１接続部材は、第１端部と第２端部とを含む。第１端部は、第１パッド部と電気的に接続される。第２端部は、発光パネルと並ぶ。第２接続部材は、第３端部と第４端部とを含む。第３端部は、第２パッド部と電気的に接続され、第４端部は、発光パネルと並び、第２端部と並ぶ。発光部と保持部とが接続されたときに、第２端部と第１電極とが接し、第４端部と第２電極とが接する。【選択図】図１
2016178036.tif 000002
【特許請求の範囲】
【請求項１】
発光部と、
前記発光部と着脱可能に接続され第１電極及び第２電極を含む保持部と、
を備え、
前記発光部は、
第１保持部材と、
第２保持部材と、
発光パネルと、
第１接続部材及び第２接続部材と、
を含み、
前記発光パネルの少なくとも一部は、前記第１保持部材の少なくとも一部と前記第２保持部材の少なくとも一部との間に設けられ、
前記発光パネルは、第１パッド部及び第２パッド部を含み、
前記第１接続部材及び前記第２接続部材は、前記第１保持部材の少なくとも一部と前記第２保持部材の少なくとも一部との間に設けられ、
前記第１接続部材は、第１端部と第２端部とを含み、
前記第１端部は、前記第１パッド部と電気的に接続され、
前記第２端部は、前記第１保持部材から前記第２保持部材に向かう第１方向と交差する第２方向において前記発光パネルと並び、
前記第２接続部材は、第３端部と第４端部とを含み、
前記第３端部は、前記第２パッド部と電気的に接続され、
前記第４端部は、前記第２方向において前記発光パネルと並び、前記第１方向及び前記第２方向と交差する第３方向において前記第２端部と並び、
前記発光部と前記保持部とが接続されたときに、前記第２端部と前記第１電極とが、弾性力で互いに接し、前記第４端部と前記第２電極とが、弾性力で互いに接する、照明装置。
【請求項２】
前記第１電極は、ピンであり、前記第２電極は、ピンである、請求項１記載の照明装置。
【請求項３】
前記第１保持部材は、
前記第２方向と交差する方向において前記第２端部と対向する前記第１対向部と、
前記第２方向と交差する方向において前記第４端部と対向する前記第２対向部と、
を含み、
前記発光部と前記保持部とが接続されたときに、前記第１電極は前記第２端部と前記第１対向部との間に配置され、前記第２電極は前記第４端部と前記第２対向部との間に配置される、請求項１または２に記載の照明装置。
【請求項４】
前記発光パネルは、
基板と、
有機発光層と、
を含み、
前記基板は、
前記第２方向に沿って延在する第１縁部と、
前記第３方向において前記第１縁部と離間し前記第２方向に沿って延在する第２縁部と、
を含み、
前記有機発光層は、前記第３方向において前記第１縁部と前記第２縁部との間に配置され、
前記第１パッド部は、前記第１縁部の上に設けられ、前記有機発光層の一端と電気的に接続され、
前記第２パッド部は、前記第２縁部の上に設けられ、前記有機発光層の他端と電気的に接続され、
前記第１端部は、前記第１パッド部と前記第２保持部材との間に配置され、
前記第１端部は、前記第１パッド部を弾性力で押して前記第１パッド部と接し、
前記第３端部は、前記第２パッド部と前記第２保持部材との間に配置され、
前記第３端部は、前記第２パッド部を弾性力で押して前記第２パッド部と接する、請求項１〜３のいずれか１つに記載の照明装置。
【請求項５】
前記保持部は、第３保持部材と、第４保持部材と、をさらに含み、
前記第１電極及び前記第２電極は、前記第３保持部材と前記第４保持部材との間に配置される、請求項１〜４のいずれか１つに記載の照明装置。
【請求項６】
前記第１接続部材は、第５端部をさらに含み、
前記第５端部は、前記第２端部と電気的に接続され、
前記第４端部は、前記第２端部と前記第５端部との間に配置され、
前記保持部は、第３電極をさらに含み、
前記発光部と前記保持部とが接続されたときに、前記第５端部と前記第３電極とが、接する、請求項１〜５のいずれか１つに記載の照明装置。
【請求項７】
前記第５端部と前記第４端部との間の距離は、前記第２端部と前記第４端部との間の距離と同じである、請求項６記載の照明装置。
【請求項８】
前記発光パネルは、前記第１方向において前記有機発光層と重なる導電層をさらに含み、
前記導電層は、光透過性を有する、請求項１〜７のいずれか１つに記載の照明装置。
【請求項９】
請求項１〜８のいずれか１つに記載の複数の照明装置を備え、
前記複数の照明装置は、前記第１方向と交差する方向に沿って並ぶ、照明器具。
【発明の詳細な説明】
【技術分野】
【０００１】
本発明の実施形態は、照明装置及び照明器具に関する。
【背景技術】
【０００２】
ガラスやフィルムなどの基材を有する有機ＥＬ発光パネルを用いた照明装置が開発されている。このような照明装置では、有機ＥＬ発光パネルの電極との接続が不安定になりやすく、動作が不安定になるため、信頼性も劣化する。電気的接続が容易で、かつ安定的な接続が可能な照明装置及び照明器具が望まれている。
【先行技術文献】
【特許文献】
【０００３】
【特許文献１】特許４２９３３１４号公報
【発明の概要】
【発明が解決しようとする課題】
【０００４】
本発明の実施形態は、電気的接続が容易で、かつ安定的な接続が可能な照明装置及び照明器具を提供する。
【課題を解決するための手段】
【０００５】
本発明の実施形態によれば、照明装置は、発光部と、前記発光部と着脱可能に接続され第１電極及び第２電極を含む保持部と、を含む。前記発光部は、第１保持部材と、第２保持部材と、第１パッド部及び第２パッド部を含む発光パネルと、第１接続部材及び第２接続部材と、を含む。前記発光パネルの少なくとも一部は、前記第１保持部材の少なくとも一部と、前記第２保持部材の少なくとも一部と、の間に設けられる。前記第１接続部材及び前記第２接続部材は、前記第１保持部材の少なくとも一部と、前記第２保持部材の少なくとも一部と、の間に設けられる。前記第１接続部材は、第１端部と第２端部とを含む。前記第１端部は、前記第１パッド部と電気的に接続される。前記第２端部は、前記第１保持部材から前記第２保持部材に向かう第１方向と交差する第２方向において前記発光パネルと並ぶ。前記第２接続部材は、第３端部と第４端部とを含む。前記第３端部は、前記第２パッド部と電気的に接続される。前記第４端部は、前記第２方向において前記発光パネルと並び、前記第１方向及び前記第２方向と交差する第３方向において前記第２端部と並ぶ。前記発光部と前記保持部とが接続されたときに、前記第２端部と前記第１電極とが、弾性力で互いに接し、前記第４端部と前記第２電極とが、弾性力で互いに接する。
【発明の効果】
【０００６】
本発明の実施形態によれば、安定した動作が可能な照明装置及び照明器具が提供される。
【図面の簡単な説明】
【０００７】
【図１】図１（ａ）〜図１（ｆ）は、第１の実施形態に係る照明装置を例示する模式図である。
【図２】図２（ａ）〜図２（ｅ）は、第１の実施形態に係る照明装置を例示する模式図である。
【図３】図３（ａ）及び図３（ｂ）は、第１の実施形態に係る照明装置の一部を例示する模式的斜視図である。
【図４】第１の実施形態に係る照明装置を用いた照明器具を例示する模式的平面図である。
【図５】図５（ａ）〜図５（ｃ）は、第１の実施形態に係る別の照明装置を例示する模式図である。
【図６】図６（ａ）〜図６（ｃ）は、第１の実施形態に係る別の照明装置を例示する模式図である。
【図７】図７（ａ）及び図７（ｂ）は、第２の実施形態に係る照明装置を例示する模式的平面図である。
【図８】図８（ａ）及び図８（ｂ）は、第２の実施形態に係る照明装置の一部を例示する模式的斜視図である。
【図９】図９（ａ）及び図９（ｂ）は、第２の実施形態に係る別の照明装置を例示する模式的平面図である。
【図１０】図１０（ａ）及び図１０（ｂ）は、第２の実施形態に係る別の照明装置を例示する模式的平面図である。
【図１１】図１１（ａ）及び図１１（ｂ）は、第２の実施形態に係る別の照明装置の一部を例示する模式的斜視図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
図１（ａ）〜図１（ｆ）は、第１の実施形態に係る照明装置を例示する模式図である。  図１（ａ）は、照明装置における１つの状態を示す平面図である。図１（ｂ）は、照明装置における別の１つの状態を示す平面図である。図１（ｃ）は、平面図であり、図１（ｄ）は、側面図である。図１（ｅ）は、平面図であり、図１（ｆ）は、側面図である。
【００１０】
本実施形態に係る照明装置１６０は、発光部６０と、保持部７０と、を含む。保持部７０は、発光部６０と着脱可能に接続される。図１（ａ）は、保持部７０と発光部６０と、が互いに接続された状態を示している。図１（ｂ）は、保持部７０と発光部６０と、が互いに分離された状態を示している。
【００１１】
保持部７０は、第１電極７１及び第２電極７２を含む。これらの電極から、発光部６０に電流が供給される。保持部７０は、発光部６０を保持すると共に、発光部６０に電力を供給する。
【００１２】
図１（ｃ）及び図１（ｄ）は、発光部６０を示している。発光部６０は、第１保持部材１０と、第２保持部材２０と、発光パネル３０と、第１接続部材５１と、第２接続部材５２と、を含む。
【００１３】
第１保持部材１０から第２保持部材２０に向かう方向を第１方向とする。第１方向をＺ軸方向とする。Ｚ軸方向に対して垂直な１つの方向をＸ軸方向とする。Ｚ軸方向及びＸ軸方向に対して垂直な方向をＹ軸方向とする。
【００１４】
図２（ａ）〜図２（ｅ）は、第１の実施形態に係る照明装置を例示する模式図である。  図２（ａ）は、図１（ｃ）のＡ１−Ａ２線断面図である。図２（ｂ）は、発光パネル３０の一部を拡大して示す断面図である。図２（ｃ）は、発光パネル３０を示す平面図である。図２（ｄ）は、保持部７０を示す断面図である。図２（ｅ）は、発光パネル３０の一部を拡大して示す別の断面図である。
【００１５】
図２（ａ）に示すように、発光パネル３０は、第１保持部材１０と第２保持部材２０との間に設けられる。例えば、発光パネル３０の外縁領域３０ｒの少なくとも一部は、第１保持部材１０と第２保持部材２０との間に設けられる。すなわち、発光パネル３０の少なくとも一部（外縁領域３０ｒ）は、第１保持部材１０の少なくとも一部と、第２保持部材２０の少なくとも一部と、の間に設けられる。
【００１６】
発光パネル３０は、第１パッド部４１及び第２パッド部４２を含む。
【００１７】
図２（ｂ）に示すように、発光パネル３０は、基板３１と、有機発光層３３と、を含む。
【００１８】
図２（ｃ）に示すように、基板３１は、第１パネル辺３１ｓａと、第１縁部３１ａと、を含む。第１パネル辺３１ｓａは、第２方向に延在する。第２方向は、第１方向（Ｚ軸方向）と交差する。この例では、第２方向は、Ｘ軸方向である。第１縁部３１ａは、第１パネル辺３１ｓａに沿う。
【００１９】
第１パッド部４１は、第１縁部３１ａの上に設けられ、第２方向（Ｘ軸方向）に沿って延在する。
【００２０】
基板３１は、第２パネル辺３１ｓｂと、第２縁部３１ｂと、をさらに含む。第２パネル辺３１ｓｂは、第１方向及び第２方向と交差する方向（この例では、Ｙ軸方向）において、第１パネル辺３１ｓａと離間している。第２パネル辺３１ｓｂは、第２方向（Ｘ軸方向）に延在する。第２縁部３１ｂは、第２パネル辺３１ｓｂに沿っている。
【００２１】
第２パッド部４２は、第２縁部３１ｂの上に設けられ、第２方向（Ｘ軸方向）に沿って延在する。
【００２２】
有機発光層３３は、第３方向（例えばＹ軸方向）において、第１縁部３１ａと第２縁部３１ｂとの間に配置される。有機発光層３３の一端が、第１パッド部４１と電気的に接続され、有機発光層３３の他端が、第２パッド部４２と電気的に接続される。
【００２３】
第１パッド部４１及び第２パッド部４２には、例えば、金属層などが用いられる。これにより、低い抵抗が得られる。発光パネル３０において、発光の均一性が高まる。
【００２４】
図２（ｂ）に示すように、発光パネル３０は、第１導電層４１ｅと、第２導電層４２ｅと、第１キャリア注入層３４と、第２キャリア注入層３２と、をさらに含む。第１導電層４１ｅは、第１パッド部４１と電気的に接続されている。第１導電層４１ｅは、第１パッド部４１と連続的でも良い。第２導電層４２ｅは、第２パッド部４２と電気的に接続されている。第２導電層４２ｅは、第２パッド部４２と連続的でも良い。
【００２５】
第１導電層４１ｅと第２導電層４２ｅとの間に有機発光層３３が設けられる。第１導電層４１ｅと有機発光層３３との間に、第１キャリア注入層３４が設けられる。第２導電層４２ｅと有機発光層３３との間に、第２キャリア注入層３２が設けられる。
【００２６】
第１導電層４１ｅは、例えば、陰極及び陽極の一方である。第２導電層４２ｅは、陰極及び陽極の他方である。これらの導電層は、第１方向（Ｚ軸方向）において、有機発光層３３と重なる。
【００２７】
第１パッド部４１及び第２パッド部４２に電圧を加えることで、有機発光層３３に電流が流れ、有機発光層３３から光が放出される。発光パネルは、電荷輸送層をさらに含んでも良い。
【００２８】
このように、発光パネル３０は、第１方向（Ｚ軸方向）において有機発光層３３と重なる導電層（第１導電層４１ｅ及び第２導電層４２ｅ）を含む。例えば、導電層（第１導電層４１ｅ）は、光透過性を有する。導電層が開口部を有することで光を透過しても良い。
【００２９】
例えば、図２（ｅ）に示すように、第１導電層４１ｅは、開口部４１ｅｈを有しても良い。この開口部４１ｅｈから、光が外部に出射可能である。一方、第２導電層４２ｅは、光透過性の導電膜である。
【００３０】
例えば、有機発光層３３が光を放出していないとき（オフ状態のとき）、発光パネル３０はシースルー型でも良い。
【００３１】
例えば、発光パネル３０は、第１保持部材１０に向けて光（第１光）を出射する。そして、発光パネル３０は、第２保持部材２０に向けて別の光（第２光）を出射しても良い。発光パネル３０は、例えば、両面発光型でも良い。発光パネル３０は片面発光型でも良い。
【００３２】
発光パネル３０は、封止部３５をさらに含んでいる。封止部３５と基板３１との間に、有機発光層３３が配置される。封止部３５により、信頼性が向上できる。
【００３３】
図２（ｄ）に示すように、保持部７０は、第３保持部材７０ａと、第４保持部材７０ｂと、を含む。第１電極７１及び第２電極７２は、第３保持部材７０ａと第４保持部材７０ｂとの間に配置される。保持部７０は、第１側部７０ｃと、第２側部７０ｄと、をさらに含む。第１電極７１及び第２電極７２は、第１側部７０ｃと第２側部７０ｄとの間に設けられる。これらの電極が、２つの保持部材の間、及び、２つの側部の間に設けられ、露出していないため、安全である。
【００３４】
図１（ｄ）に示すように、保持部７０は、第１電極７１と接続された第１端子７１ｔと、第２電極７２と接続された第２端子７２ｔと、を含む。これらの端子に配線（図示しない）が接続される。この例では、第１電極７１は、ピンであり、第２電極７２は、ピンである。
【００３５】
図１（ｃ）に示すように、第１接続部材５１は、第１端部５１ａと第２端部５１ｂとを含む。第２端部５１ｂは、第２方向（第１保持部材１０から第２保持部材２０に向かう第１方向と交差する方向であり、例えばＸ軸方向）において、発光パネル３０と並ぶ。
【００３６】
図１（ｃ）に示すように、第２接続部材５２は、第３端部５２ａと第４端部５２ｂとを含む。第４端部５２ｂは、第２方向（Ｘ軸方向）において発光パネル３０と並ぶ。第４端部５２ｂは、第３方向（第１方向及び第２方向と交差する方向であり、例えばＹ軸方向）において第２端部５１ｂと並ぶ。
【００３７】
図２（ａ）に示すように、第１接続部材５１の第１端部５１ａは、第１パッド部４１と電気的に接続される。第２接続部材５２の第３端部５２ａは、第２パッド部４２と電気的に接続される。
【００３８】
第１接続部材５１の第２端部５１ｂは、例えば、板ばね状である。第２接続部材５２の第４端部５２ｂは、例えば、板ばね状である。
【００３９】
図１（ａ）に示すように、発光部６０と保持部７０とが接続されたときに、第２端部５１ｂと第１電極７１とが、弾性力で互いに接し、第４端部５２ｂと第２電極７２とが、弾性力で互いに接する。これにより、第１電極７１及び第２電極７２を介して、電力を発光部６０に供給できる。
【００４０】
そして、図１（ｂ）に示すように、分離したときには、接続が解除される。第１接続部材５１の第２端部５１ｂ、及び、第２接続部材５２の第４端部５２ｂは、第１保持部材１０と第２保持部材２０との間に設けられており、カバーされている。これらの端部が露出していないため、安全である。
【００４１】
実施形態によれば、接続が安定して行われる。これにより、電気的接続が容易で、かつ安定的な接続が可能照明装置が提供できる。
【００４２】
図１（ｃ）に示すように、この例では、発光部６０は、第１嵌合部５７と、第２嵌合部５８と、を含む。一方、図１（ｅ）に示すように、保持部７０は、第３嵌合部７７と、第４嵌合部７８と、を含む。発光部６０と保持部７０とが接続されたときに、第１嵌合部５７と第３嵌合部７７とが、互いに嵌合する。第２嵌合部５８と第４嵌合部７８とが、互いに嵌合する。
【００４３】
この例では、第１嵌合部５７及び第２嵌合部５８は、凸部である。一方、第３嵌合部７７及び第４嵌合部７８は、凹部である。これにより嵌合が行われる。実施形態において、第１嵌合部５７及び第２嵌合部５８が凹部で、第３嵌合部７７及び第４嵌合部７８が凸部でも良い。
【００４４】
この例では、第１嵌合部５７及び第２嵌合部５８は、板ばね状であり、第３嵌合部７７及び第４嵌合部７８は、凹部である。実施形態において、第１嵌合部５７及び第２嵌合部５８が凹部であり、第３嵌合部７７及び第４嵌合部７８が板ばね状でも良い。
【００４５】
図１（ｃ）に示すように、第１保持部材１０は、第１〜第４保持部材辺１０ｓａ〜１０ｓｄを有する。第１保持部材辺１０ｓａは、第２方向（Ｘ軸方向）に延在する。第２保持部材辺１０ｓｂは、Ｙ軸方向（第１方向と第２方向と交差する第３方向）において、第１保持部材辺１０ｓａと離間し、第２方向に延在する。第３保持部材辺１０ｓｃは、第３方向に延在する。第４保持部材辺１０ｓｄは、第２方向において第３保持部材辺１０ｓｃと離間し、第３方向に延在する。
【００４６】
発光パネル３０は、第１保持部材辺１０ｓａと第２保持部材辺１０ｓｂとの間、及び、第３保持部材辺１０ｓｃと第４保持部材辺１０ｓｄとの間に設けられる。
【００４７】
第１接続部材５１は、Ｙ軸方向において、第１保持部材辺１０ｓａと第２保持部材辺１０ｓｂとの間に設けられる。第１接続部材５１は、Ｘ軸方向において、第３保持部材辺１０ｓｃと第４保持部材辺１０ｓｄとの間に設けられる。第２接続部材５２は、Ｙ軸方向において、第１保持部材辺１０ｓａと第２保持部材辺１０ｓｂとの間に設けられる。第２接続部材５２は、Ｘ軸方向において、第３保持部材辺１０ｓｃと第４保持部材辺１０ｓｄとの間に設けられる。接続部材が第１保持部材１０の外縁の内側に設けられることで、安全性が高まる。
【００４８】
本実施形態においては、第２端部５１ｂは、弾性を有する。発光部６０と保持部７０とが接続されたときに、第２端部５１ｂは、第１電極７１に弾性力で接する。第４端部５２ｂは、弾性を有する。発光部６０と保持部７０とが接続されたときに、第４端部５２ｂは、第２電極７２に弾性力で接する。弾性を利用することで、接続がより確実になる。そして、脱着を繰り返したときにも、高い接続性が維持できる。
【００４９】
図１（ｃ）に示すように、第１保持部材１０は、第１対向部１０ｐと、第２対向部１０ｑと、を含む。第１対向部１０ｐは、第２方向と交差する方向（例えばＹ軸方向）において、第２端部５１ｂと対向する。第２対向部１０ｑは、第２方向と交差する方向（例えばＹ軸方向）において、第４端部５２ｂと対向する。
【００５０】
発光部６０と保持部７０とが接続されたときに、第１電極７１は、第２端部５１ｂと第１対向部１０ｐとの間に配置される。そして、第２電極７２は、第４端部５２ｂと第２対向部１０ｑとの間に配置される。
【００５１】
第２端部５１ｂと第１対向部１０ｐとが、第１電極７１を挟む。第４端部５２ｂと第２対向部１０ｑとが、第２電極７２を挟む。これにより、電極の固定が、より確実になる。
【００５２】
本実施形態においては、第２端部５１ｂは、弾性を有する。発光部６０と保持部７０とが接続されたときに、第２端部５１ｂは、第１電極７１に弾性力で接する。第４端部５２ｂは、弾性を有する。発光部６０と保持部７０とが接続されたときに、第４端部５２ｂは、第２電極７２に弾性力で接する。
【００５３】
発光部６０と保持部７０とが接続されたときに、第２端部５１ｂから第１電極７１に向かう方向は、第３方向（例えばＹ軸方向）に沿う。そして、第４端部５２ｂから第２電極７２に向かう方向は、第３方向に沿う。これにより、発光部６０の薄さを維持しつつ、確実な接続が得られる。
【００５４】
図１（ｄ）及び図１（ｆ）に示すように、発光部６０の主面、及び、保持部７０の主面は、実質的に平坦である。例えば、発光部６０の主面は、平坦な板状であり、突出物が実質的に存在しない。保持部７０の主面は、平坦な板状であり、突出物が実質的に存在しない。これにより、照明装置１６０の実装が便利になり、用途の制限が抑制される。
【００５５】
例えば、図２（ａ）に示すように、第１保持部材１０は、第１面１０ｆａと、第２面１０ｆｂと、を有する。第１面１０ｆａは、発光パネル３０に対向する。第２面１０ｆｂは、第１面１０ｆａとは反対側の面である。第２保持部材２０は、第３面２０ｆａと、第４面２０ｆｂと、を有する。第３面２０ｆａは、発光パネル３０に対向する。第４面２０ｆｂは、第３面２０ｆａとは反対側の面である。第２面１０ｆｂは、実質的に平坦である。第４面２０ｆｂは、実質的に平坦である。第２面１０ｆｂの平坦性は、第１面１０ｆａの平坦性よりも高い。第４面２０ｆｂの平坦性は、第３面２０ｆａの平坦性よりも高い。
【００５６】
第１保持部材１０及び第２保持部材２０は、例えば光透過性である。第１保持部材１０及び第２保持部材２０は、例えば透明である。発光パネル３０から放出された光は、例えば、第１保持部材１０及び第２保持部材２０の少なくともいずれかを介して、外部に出射する。第１保持部材１０及び第２保持部材２０を介して、接続部材を見ることが可能である。
【００５７】
図３（ａ）及び図３（ｂ）は、第１の実施形態に係る照明装置の一部を例示する模式的斜視図である。  
図３（ａ）は、第１接続部材５１を例示し、図３（ｂ）は、第２接続部材５２を例示する。
【００５８】
図３（ａ）に示すように、第１接続部材５１の第１端部５１ａは、第１弾性部５１ｅａを含む。第２端部５１ｂは、第２弾性部５１ｅｂを含む。第１弾性部５１ｅａ及び第２弾性部５１ｅｂのそれぞれは、板ばね状である。
【００５９】
図３（ｂ）に示すように、第２接続部材５２の第３端部５２ａは、第３弾性部５２ｅａを含む。第４端部５２ｂは、第４弾性部５２ｅｂを含む。第３弾性部５２ｅａ及び第４弾性部５２ｅｂのそれぞれは、板ばね状である。
【００６０】
このように、この例では、第１端部５１ａ及び第２端部５１ｂは、板ばねであり、第３端部５２ａ及び第４端部５２ｂは、板ばねである。
【００６１】
第１接続部材５１及び第２接続部材５２には、例えば金属板（または、金属シートまたは金属線）などが用いられる。適切な弾性と、低い抵抗が得られる。
【００６２】
第１端部５１ａ（第１弾性部５１ｅａ）の弾性の方向は、Ｚ軸方向に沿う。第２端部５１ｂ（第２弾性部５２ｅｂ）の弾性の方向は、Ｙ軸方向に沿う。第３端部５２ａ（第３弾性部５２ｅａ）の弾性の方向は、Ｚ軸方向に沿う。第４端部５２ｂ（第４弾性部５２ｅｂ）の弾性の方向は、Ｙ軸方向に沿う。
【００６３】
図２（ａ）に示すように、第１端部５１ａは、第１パッド部４１と第２保持部材２０との間に配置される。第１端部５１ａは、第１パッド部を、弾性力で押して第１パッド部４１と接する。押す方向は、Ｚ軸方向に沿っている。第３端部５２ａは、第２パッド部４２と第２保持部材２０との間に配置される。第３端部５２ａは、第２パッド部４２を弾性力で押して第２パッド部４２と接する。押す方向は、Ｚ軸方向に沿っている。
【００６４】
これにより、発光パネル３０の第１縁部３１ａ及び第２縁部３１ｂが第１保持部材１０に向けて押さえられ、発光パネル３０の位置が固定される。それと同時に、第１パッド部４１と第１接続部材５１との間の電気的接続が得られ、第２パッド部４２と第２接続部材５２との間の電気的接続が得られる。
【００６５】
例えば、発光パネル３０の接続に、はんだ、または、導電性樹脂などを用いる場合には、接続の強度が不十分な場合がある。そして、信頼性が不十分な場合がある。これに対して、実施形態によれば、接続の強度は高く、信頼性も高い。
【００６６】
第１接続部材５１において、第２端部５１ｂは、第１端部５１ａと連続している。第１端部５１ａと第２端部５１ｂとは、一体的に形成できる。第２接続部材５２において、第４端部５２ｂは、第３端部５２ａと連続している。第３端部５２ａと第４端部５２ｂとは、一体的に形成できる。これにより、付加的な配線部材が省略できる。
【００６７】
発光パネル３０の電気的接続のための第１の部材と、配線の接続のための第２部材と、が、互いに別に設けられる参考例がある。この参考例においては、第１の部材と第２部材とを接続するための第３の部材が必要となる。実施形態においては、接続部材が一体的であるため、部材が省略できることに加えて、接続の確実性が高い。
【００６８】
実施形態において、保持部７０の第３方向（Ｙ軸方向）の長さは、第１保持部材１０の第３方向の長さ以下であり、第２保持部材２０の第３方向に長さ以下であることが好ましい。これにより、複数の照明装置を第３方向に沿って並べたときに、複数の発光部６０どうしの間の距離を短くできる。
【００６９】
発光部６０と保持部７０とが接続されたときに、第３保持部材７０ａの少なくとも一部は、第１方向（Ｚ軸方向）において、第１保持部材１０と第２保持部材２０との少なくともいずれかと重なっても良い。そして、発光部６０と保持部７０とが接続されたときに、第４保持部材７０ｂの少なくとも一部は、第１方向において、第１保持部材１０と第２保持部材２０との少なくともいずれかと重なっても良い。例えば、第３保持部材７０ａ及び第４保持部材７０ｂにより、第１保持部材１０及び第２保持部材２０を挟んでも良い。第３保持部材７０ａ及び第４保持部材７０ｂの少なくともいずれかと、第１保持部材１０及び第２保持部材２０の少なくともいずれかと、が、互いに嵌合しても良い。これにより、発光部６０と保持部７０との間の接続がより強固になる。
【００７０】
実施形態において、第３保持部材７０ａ及び第４保持部材７０ｂの少なくともいずれかは、光透過性でも良い。発光部６０と保持部７０との接続状態を見ることができ、より確実な接続が可能になる。そして、発光部６０が透明である場合に、保持部７０と発光部６０との一体感が増す。意匠性に優れる。
【００７１】
図４は、第１の実施形態に係る照明装置を用いた照明器具を例示する模式的平面図である。  
図４に示すように、照明器具２６０は、複数の照明装置１６０を含む。複数の照明装置１６０は、第１方向（Ｚ軸方向）と交差する方向（例ではＹ軸方向）に沿って並ぶ。例えば、複数の照明装置１６０は、第１方向と交差し第２方向と交差する方向に沿って並ぶ。照明器具２６０において、複数の照明装置１６０のそれぞれの発光パネル３０どうしの間隔を短くできる。意匠性に優れる照明器具が提供できる。実施形態によれば、配線のスペースが確保でき、複数の照明装置１６０の間の距離を近づけることができる。コンパクトな照明器具が得られる。複数の発光パネル３０どうしの間の間隔が小さくでき、全体として、高い透明性が得られる。
【００７２】
図５（ａ）〜図５（ｃ）は、第１の実施形態に係る別の照明装置を例示する模式図である。  
図５（ａ）は、照明装置における１つの状態を示す平面図である。図５（ｂ）は、１の状態における側面図である。図５（ｃ）は、別の状態における側面図である。
【００７３】
本実施形態に係る照明装置１６０ａも、発光部６０と、保持部７０と、含む。保持部７０は、発光部６０と着脱可能に接続される。照明装置１６０ａにおいては、発光部６０に含まれる第１保持部材１０及び第２保持部材２０の形状が、照明装置１６０とは、異なる。これ以外は、照明装置１６０と同じである。以下、照明装置１６０ａにおける発光部６０について説明する。
【００７４】
照明装置１６０ａにおいては、発光パネル３０の一部が、第１保持部材１０の一部と、第２保持部材２０の一部と、の間に設けられる。この例では、発光パネル３０は、フレキシブルである。
【００７５】
図５（ｂ）に例示するように、発光パネル３０は、薄い。発光パネル３０の基板３１は、例えば、フレキシブルな樹脂基板である。
【００７６】
図５（ｃ）に例示するように、発光パネル３０は、曲がる。例えば、重力などにより、発光パネル３０は曲がる。
【００７７】
発光パネル３０の１つの端部が、第１保持部材１０及び第２保持部材２０により保持される。これにより、発光パネル３０は、曲がることができる。樹脂の基板３１を用いることで、軽くなる。機械的な衝撃への耐性が向上する。
【００７８】
図６（ａ）〜図６（ｃ）は、第１の実施形態に係る別の照明装置を例示する模式図である。  
図６（ａ）は、照明装置における１つの状態を示す平面図である。図６（ｂ）は、保持部７０の平面図である。図６（ｃ）は、保持部７０の側面図である。
【００７９】
本実施形態に係る照明装置１６０ｂも、発光部６０と、保持部７０と、を含む。保持部７０は、発光部６０と着脱可能に接続される。照明装置１６０ｂにおいては、保持部７０の構成が、照明装置１６０とは異なる。これ以外は、照明装置１６０と同じである。以下、照明装置１６０ｂにおける保持部７０について説明する。
【００８０】
保持部７０には、第１電極７１及び第２電極７２が設けられている。第１電極７１に接続された第１端子７１ｔが設けられている。第２電極７２に接続された第２端子７２ｔが設けられている。この例では、２つの第１端子７１と、２つの第２端子７２ｔと、が設けられている。１つの第１端子７１ｔと第２端子７２ｔと、は、Ｘ軸方向に並ぶ。別の１つの第１端子７１と、別の１つの第２端子７２と、は、Ｘ軸方向に並ぶ。このように、この例においては、保持部７０のＸ軸方向に沿って延在する側面に、これらの端子が設けられている。これにより、接続が容易になる。省スペース化が可能になる。
【００８１】
上記の照明装置１６０ａ及び１６０ｂを複数設けても良い。例えば、照明器具２６０に関して説明したように、複数の照明装置は、第１方向（Ｚ軸方向）と交差する方向（例ではＹ軸方向）に沿って並ぶ。
【００８２】
（第２の実施形態）  
図７（ａ）及び図７（ｂ）は、第２の実施形態に係る照明装置を例示する模式的平面図である。  
図７（ａ）は、発光部６０を例示し、図７（ｂ）は、保持部７０を例示している。
【００８３】
本実施形態に係る照明装置１６１においても、発光部６０は、発光パネル３０と、第１パッド部４１と、第２パッド部４２と、を含む。これらについては、照明装置１６０の場合と同様なので説明を省略する。この例においても第１接続部材５１及び第２接続部材５２が設けられる。一方、保持部７０は、第１電極及び第２電極７２に加えて、第３電極７３をさらに含む。以下、本実施形態に係る接続部材について、説明する。
【００８４】
図８（ａ）及び図８（ｂ）は、第２の実施形態に係る照明装置の一部を例示する模式的斜視図である。  
図８（ａ）は、第２接続部材５２を例示している。図８（ｂ）は、第１接続部材５１を例示している。
【００８５】
図８（ａ）に示すように、第２接続部材５２は、第３端部５２ａと、第４端部５２ｂと、を含む。
【００８６】
図８（ｂ）に示すように、第１接続部材５１は、第１端部５１ａ及び第２端部５１ｂに加え、第５端部５１ｃをさらに含む。
【００８７】
第５端部５１ｃは、第２端部５１ｂと電気的に接続される。すなわち、第５端部５１ｃは、第１端部５１ａと電気的に接続される。第５端部５１ｃは、例えば、板ばね状である。
【００８８】
図７（ａ）に示すように、第２接続部材５２の第４端部５２ｂは、第２端部５１ｂと第５端部５１ｃとの間に配置される。
【００８９】
照明装置１６１においては、発光部６０と保持部７０とが接続されたときに、第２端部５１ｂと第１電極７１とが互いに接し、第４端部５２ｂと第２電極７２とが互いに接し、第５端部５１ｃと第３電極７３とが互いに接する。例えば、第２端部５１ｂと第１電極７１とが弾性力で互いに接し、第４端部５２ｂと第２電極７２とが弾性力で互いに接し、第５端部５１ｃと第３電極７３とが弾性力で互いに接する。
【００９０】
この例では、第１パッド部４１に電気に接続された端部として、第２端部５１ｂ及び第５端部５１ｃの２つの端部が設けられる。３端子の構成が適用される。３つ以上の端子を用いて接続することにより、より確実な接続が得られる。
【００９１】
本実施形態において、第５端部５１ｃと第４端部５２ｂとの間の距離を、第２端部５１ｂと第４端部５２ｂとの間の距離と同じに設定しても良い。例えば、発光部６０の表裏を逆転して、発光部６０と保持部７０とを接続することが可能になる。
【００９２】
例えば、発光部６０が、片面発光型の場合がある。片面発光型においては、一方の面の側から光が放出され、光は他方の面から実質的に放出されない。例えば、照明装置１６１において、保持部７０が別の部品に固定されている場合がある。発光部６０の表裏を逆転させて発光部６０と保持部７０とを接続することで、光の出射方向を反転することが可能になる。便利な照明装置が提供できる。
【００９３】
例えば、発光部６０が両方の面から光を出射する両面発光型の場合がある。このとき、両方の面から出射する光のそれぞれの特性が、互いに同じではない場合がある。このとき、発光部６０の表裏を逆転させて発光部６０と保持部７０とを接続することで、発光部６０から出射する照明光を制御できる。
【００９４】
発光部６０に用いられる各種の材料（例えば導電材料など）に起因して、発光部６０の表面と、裏面と、で外観が異なる場合がある。例えば、一方の面における反射性が、他方の面における反射性とは異なる場合がある。このとき、発光部６０の表裏を逆転させて発光部６０と保持部７０とを接続することで、外観を所望の状態に設定することが容易になる。
【００９５】
さらに、例えば、光を出射しないときにおいて、発光部６０が光透過性である場合がある。例えば、発光部６０がシースルー型である場合がある。このときに、一方の面から見たときの透過像の状態が、他方の面から見たときの透過像の状態とは異なる場合がある。このとき、発光部６０の表裏を逆転させて発光部６０と保持部７０とを接続することで、透過の状態を所望の状態に設定することが容易になる。
【００９６】
例えば、照明装置１６１において、第２電極７２に、負電位の配線を接続し、第３電極７３に正電位の配線を接続する。このとき、第１電極７１には、配線を接続しなくても良い。
【００９７】
図９（ａ）及び図９（ｂ）は、第２の実施形態に係る別の照明装置を例示する模式的平面図である。  
図９（ａ）は、発光部６０を例示し、図９（ｂ）は、保持部７０を例示している。
【００９８】
本実施形態に係る照明装置１６１ａにおいても、発光部６０は、発光パネル３０と、第１パッド部４１と、第２パッド部４２と、を含む。以下、照明装置１６１ａについて、照明装置１６１と異なる部分について説明する。
【００９９】
照明装置１６１ａにおいては、第１接続部材５１において、第５端部５１ｃが設けられていない。これ以外は、照明装置１６１と同様である。
【０１００】
照明装置１６１ａにおいては、例えば、第２電極７２に、負電位の配線を接続し、第１電極７１及び第３電極７３に正電位の配線を接続する。
【０１０１】
図１０（ａ）及び図１０（ｂ）は、第２の実施形態に係る別の照明装置を例示する模式的平面図である。  
図１０（ａ）は、発光部６０を例示し、図１０（ｂ）は、保持部７０を例示している。
【０１０２】
本実施形態に係る照明装置１６２においても、発光部６０は、発光パネル３０と、第１パッド部４１と、第２パッド部４２と、を含む。これらについては、照明装置１６０の場合と同様なので説明を省略する。この例においても第１接続部材５１及び第２接続部材５２が設けられる。この場合も、保持部７０は、第１電極及び第２電極７２に加えて、第３電極７３をさらに含む。
【０１０３】
図１１（ａ）及び図１１（ｂ）は、第２の実施形態に係る別の照明装置の一部を例示する模式的斜視図である。  
図１１（ａ）は、第２接続部材５２を例示している。図１１（ｂ）は、第１接続部材５１を例示している。
【０１０４】
図１１（ａ）に示すように、第２接続部材５２は、第３端部５２ａ及び第４端部５２ｂに加えて、第６端部５２ｃをさらに含む。
【０１０５】
図１１（ｂ）に示すように、第１接続部材５１は、第１端部５１ａ及び第２端部５１ｂを含む。
【０１０６】
第６端部５２ｃは、第４端部５２ｂと電気的に接続される。すなわち、第６端部５２ｃは、第３端部５２ａと電気的に接続される。第６端部５２ｃは、例えば、板ばね状である。
【０１０７】
発光部６０と保持部７０とが接続されたときに、第２端部５１ｂと第１電極７１とが互いに接し、第４端部５２ｂと第２電極７２とが互いに接し、第６端部５２ｃと第３電極７３とが互いに接する。例えば、第２端部５１ｂと第１電極７１とが弾性力で互いに接し、第４端部５２ｂと第２電極７２とが弾性力で互いに接し、第６端部５２ｃと第３電極７３とが弾性力で互いに接する。
【０１０８】
この例では、第２パッド部４２に電気に接続された端部として、第４端部５２ａ及び第６端部５２ｃの２つの端部が設けられる。３端子の構成が適用される。３つ以上の端子を用いて接続することにより、より確実な接続が得られる。
【０１０９】
この例において、第６端部５２ｃと第２端部５１ｂとの間の距離は、第４端部５２ｂと第２端部５１ｂとの間の距離と同じに設定しても良い。これにより、例えば、発光部６０の表裏を逆転して、発光部６０と保持部７０とを接続することが可能になる。便利な照明装置を提供できる。照明装置１６２において、第６端部５２ｃを省略しても良い。
【０１１０】
上記の照明装置１６１、１６１ａ及び１６２の少なくともいずれかを複数設けても良い。便利な照明器具が提供できる。
【０１１１】
照明装置１６１、１６１ａ及び１６２において、発光パネルの３０の一部が、第１保持部材１０の一部と、第２保持部材２０の一部と、の間に設けられても良い。発光パネル３０は、フレキシブルでも良い。
【０１１２】
本実施形態に係る照明器具によれば、電気的接続が容易で、かつ安定的な接続が可能で、便利な照明器具が提供できる。
【０１１３】
実施形態によれば、電気的接続が容易で、かつ安定的な接続が可能照明装置及び照明器具が提供される。
【０１１４】
以上、具体例を参照しつつ、本発明の実施の形態について説明した。しかし、本発明の実施形態は、これらの具体例に限定されるものではない。例えば、照明装置に含まれる発光部、保持部、保持部材、発光パネル、接続部材及び電極などの各要素の具体的な構成に関しては、当業者が公知の範囲から適宜選択することにより本発明を同様に実施し、同様の効果を得ることができる限り、本発明の範囲に包含される。
【０１１５】
また、各具体例のいずれか２つ以上の要素を技術的に可能な範囲で組み合わせたものも、本発明の要旨を包含する限り本発明の範囲に含まれる。
【０１１６】
その他、本発明の実施の形態として上述した照明装置及び照明器具を基にして、当業者が適宜設計変更して実施し得る全ての照明装置及び照明器具も、本発明の要旨を包含する限り、本発明の範囲に属する。
【０１１７】
その他、本発明の思想の範疇において、当業者であれば、各種の変更例及び修正例に想到し得るものであり、それら変更例及び修正例についても本発明の範囲に属するものと了解される。
【０１１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１９】
１０…第１保持部材、  １０ｆａ、１０ｆｂ…第１、第２面、  １０ｐ、１０ｑ…第１、第２対向部、  １０ｓａ〜１０ｓｄ…第１〜第４保持部材辺、  ２０…第２保持部材、  ２０ｆａ、２０ｆｂ…第３、第４面、  ３０…発光パネル、  ３０ｒ…外縁領域、  ３１…基板、  ３１ａ、３１ｂ…第１、第２縁部、  ３１ｓａ、３１ｓｂ…第１、第２パネル辺、  ３２…第２キャリア注入層、  ３３…有機発光層、  ３４…第１キャリア注入層、  ３５…封止層、  ４１…第１パッド部、  ４１ｅ…第１導電層、  ４１ｅｈ…開口部、  ４２…第２パッド部、  ４２ｅ…第２導電層、  ５１…第１接続部材、  ５１Ａ…接続部材、  ５１ａ…第１端部、  ５１ｂ…第２端部、  ５１ｃ…第５端部、  ５１ｅａ、５１ｅｂ…第１、第２弾性部、  ５２…第２接続部材、  ５２ａ…第３端部、  ５２ｂ…第４端部、  ５２ｃ…第６端部、  ５２ｅａ、５２ｅｂ…第３、第４弾性部、  ５７、５８…第１、第２嵌合部、  ６０…発光部、  ７０…保持部、  ７０ａ、７０ｂ…第３、第４保持部材、  ７０ｃ、７０ｄ…第１、第２側部、  ７１…第１電極、  ７１ｔ…第１端子、  ７２…第２電極、  ７２ｔ…第２端子、  ７３…第３電極、  ７７、７８…第３、第４嵌合部、  １６０、１６０ａ、１６０ｂ、１６１、１６２…照明装置、  ２６０…照明器具
【図１】
2016178036.tif 000003
【図２】
2016178036.tif 000004
【図３】
2016178036.tif 000005
【図４】
2016178036.tif 000006
【図５】
2016178036.tif 000007
【図６】
2016178036.tif 000008
【図７】
2016178036.tif 000009
【図８】
2016178036.tif 000010
【図９】
2016178036.tif 000011
【図１０】
2016178036.tif 000012
【図１１】
2016178036.tif 000013